(57)【要約】【課題】  崩壊したり、飛散することなく長期間にわたり安定した漁礁を維持できる安価な漁礁形成用ユニットを提供する。【解決手段】  複数の漁礁ブロック体２，２…を互いに所定間隔離間させ連結手段（ワイヤロープ３）によって数珠状に連結した漁礁形成用ユニット１であって、前記漁礁ブロック体２，２…に貫通孔を開穿し、該貫通孔内に前記連結手段を貫通させ、固定手段(固定金具７，７…)によって該連結手段に該漁礁ブロック体２，２…を固定するように構成した漁礁形成用ユニットを提供する。【選択図】  図１
2006067971.tif 000002
【特許請求の範囲】
【請求項１】
複数の漁礁ブロック体を互いに所定間隔離間させ連結手段によって数珠状に連結した漁礁形成用ユニットであって、前記漁礁ブロック体に貫通孔を開穿し、該貫通孔内に前記連結手段を貫通させ、固定手段によって該連結手段に該漁礁ブロック体を固定するように構成したことを特徴とする漁礁形成用ユニット。
【請求項２】
上記連結手段は、ワイヤロープ又はチェーンであることを特徴とする請求項１記載の漁礁形成用ユニット。
【請求項３】
上記固定手段は、座金とクリップとが一体に形成された固定金具であり、上記連結手段の上記漁礁ブロック体の貫通孔両端位置に該固定金具を設けることにより、該連結手段に該漁礁ブロック体を固定するように構成したことを特徴とする請求項１又は２記載の漁礁形成用ユニット。
【請求項４】
上記固定手段は、上記貫通孔と上記連結手段の間に充填するモルタルであり、該モルタルによって該連結手段に上記漁礁ブロック体を固定するように構成したことを特徴とする請求項１，２又は３記載の漁礁形成用ユニット。
【請求項５】
複数の漁礁ブロック体を互いに所定間隔離間させ連結手段によって数珠状に連結した漁礁形成用ユニットであって、前記漁礁ブロック体に貫通孔を開穿し、該貫通孔内に前記連結手段よりも短く形成した補助連結手段を貫通させ、該補助連結手段の両端を該連結手段に連結し、該補助連結手段によって該漁礁ブロック体を保持させるように構成したことを特徴とする漁礁形成用ユニット。
【請求項６】
上記補助連結手段の少なくとも一端にシャックルが設けられ、該シャックルによって該補助連結手段は上記連結手段に連結自在であることを特徴とする請求項５記載の漁礁形成用ユニット。
【請求項７】
上記漁礁ブロック体は、自然石、コンクリートブロック、テトラポット、三柱ブロック、ビーハイブ、六脚ブロック，その他の消波ブロックのうちのいずれかであることを特徴とする請求項１，２，３，４，５又は６記載の漁礁形成用ユニット。
【請求項８】
請求項１乃至７のいずれか一に記載の複数の漁礁形成用ユニットを略並列に並べて一段目の漁礁形成用ユニット群を形成し、該一段目の漁礁形成用ユニット群上に該一段目の漁礁形成用ユニットと略直交するように、且つ、該一段目の漁礁形成用ユニットよりも短く形成した複数の漁礁形成用ユニットを略並列に積み重ねて二段目の漁礁形成用ユニット群を形成し、同様にして更に上段の漁礁形成用ユニット群を積み重ねて所定段数の略角錐体状の漁礁を形成することを特徴とする漁礁の形成方法。
【請求項９】
請求項１乃至７のいずれか一に記載の複数の漁礁形成用ユニットを互いに所定間隔離間させ略同心円状に並べて複数円から成る一段目の漁礁形成用ユニット群を形成し、該一段目の漁礁形成用ユニット群上に複数の漁礁形成用ユニットを互いに所定間隔離間させ略放射状に積み重ねて、漁礁ブロック体が該一段目の漁礁形成用ユニット群よりも外周円が小さい略同心円状の複数円状に並べられた二段目の漁礁形成用ユニット群を形成し、同様にして上段の漁礁形成用ユニット群を更に積み重ねて所定段数の略円錐体状の漁礁を形成することを特徴とする漁礁の形成方法。
【請求項１０】
請求項１乃至７のいずれか一に記載の複数の漁礁形成用ユニットを互いに所定間隔離間させ略放射状に並べて漁礁ブロック体が略同心円状の複数円状に並べられた一段目の漁礁形成用ユニット群を形成し、該一段目の漁礁形成用ユニット群上に複数の漁礁形成用ユニットを互いに所定間隔離間させ略同心状に積み重ねて、該一段目の漁礁形成用ユニット群よりも外周円が小さい複数円から成る二段目の漁礁形成用ユニット群を形成し、同様にして上段の漁礁形成用ユニット群を更に積み重ねて所定段数の略円錐体状の漁礁を形成することを特徴とする漁礁の形成方法。
【請求項１１】
請求項１乃至７のいずれか一に記載の複数の漁礁形成用ユニットを不規則的に積み重ねて所定高さの漁礁を形成することを特徴とする漁礁の形成方法。
【発明の詳細な説明】
【技術分野】
【０００１】
本発明は、漁礁形成用ユニット及び漁礁の形成方法に関し、特に、崩壊したり、飛散することなく長期間にわたり安定した漁礁を維持できる安価な漁礁を提供するための漁礁形成用ユニット及び漁礁の形成方法に関する。
【背景技術】
【０００２】
従来、漁礁として、一般にブロックを積み上げて漁礁を造成するものが知られており、例えば、特許文献１にも、河川や海等の水底に複数個のブロックを積み上げて夫々の自重により定置維持させることにより人口漁礁を造成する技術が記載されている。
【特許文献１】特開平８−１４０５２０号公報
【発明の開示】
【発明が解決しようとする課題】
【０００３】
然しながら、前述したブロックを積み上げて漁礁を造成した場合においては、積み上げたブロックは夫々の自重により定置維持されるものであるため、例えば、底引き漁船の底引き網によってブロックが引きずられて、転倒して漁礁が崩壊したり、飛散するなどの問題があり、他の要因によっても積み上げたブロックが転倒して、漁礁が崩壊したり、飛散する虞があり、長期間にわたり漁礁としての効果を果たすことができなかった。
【０００４】
以上の現状に鑑み、本発明は、崩壊したり、飛散することなく長期間にわたり安定した漁礁を維持できる安価な漁礁形成用ユニット及び漁礁の形成方法を提供することを目的にする。
【課題を解決するための手段】
【０００５】
上記の課題を解決すべく、本発明は以下の構成を提供する。
請求項１に係る発明は、複数の漁礁ブロック体を互いに所定間隔離間させ連結手段によって数珠状に連結した漁礁形成用ユニットであって、前記漁礁ブロック体に貫通孔を開穿し、該貫通孔内に前記連結手段を貫通させ、固定手段によって該連結手段に該漁礁ブロック体を固定するように構成したことを特徴とする漁礁形成用ユニットを提供するものである。
【０００６】
請求項２に係る発明は、上記連結手段は、ワイヤロープ又はチェーンであることを特徴とする請求項１記載の漁礁形成用ユニットを提供するものである。
請求項３に係る発明は、上記固定手段は、座金とクリップとが一体に形成された固定金具であり、上記連結手段の上記漁礁ブロック体の貫通孔両端位置に該固定金具を設けることにより、該連結手段に該漁礁ブロック体を固定するように構成したことを特徴とする請求項１又は２記載の漁礁形成用ユニットを提供するものである。
【０００７】
請求項４に係る発明は、上記固定手段は、上記貫通孔と上記連結手段の間に充填するモルタルであり、該モルタルによって該連結手段に上記漁礁ブロック体を固定するように構成したことを特徴とする請求項１，２又は３記載の漁礁形成用ユニットを提供するものである。
【０００８】
請求項５に係る発明は、複数の漁礁ブロック体を互いに所定間隔離間させ連結手段によって数珠状に連結した漁礁形成用ユニットであって、前記漁礁ブロック体に貫通孔を開穿し、該貫通孔内に前記連結手段よりも短く形成した補助連結手段を貫通させ、該補助連結手段の両端を該連結手段に連結し、該補助連結手段によって該漁礁ブロック体を保持させるように構成したことを特徴とする漁礁形成用ユニットを提供するものである。
【０００９】
請求項６に係る発明は、上記補助連結手段の少なくとも一端にシャックルが設けられ、該シャックルによって該補助連結手段は上記連結手段に連結自在であることを特徴とする請求項５記載の漁礁形成用ユニットを提供するものである。
【００１０】
請求項７に係る発明は、上記漁礁ブロック体は、自然石、コンクリートブロック、テトラポット、三柱ブロック、ビーハイブ、六脚ブロック，その他の消波ブロックのうちのいずれかであることを特徴とする請求項１，２，３，４，５又は６記載の漁礁形成用ユニットを提供するものである。
【００１１】
請求項８に係る発明は、請求項１乃至７のいずれか一に記載の複数の漁礁形成用ユニットを略並列に並べて一段目の漁礁形成用ユニット群を形成し、該一段目の漁礁形成用ユニット群上に該一段目の漁礁形成用ユニットと略直交するように、且つ、該一段目の漁礁形成用ユニットよりも短く形成した複数の漁礁形成用ユニットを略並列に積み重ねて二段目の漁礁形成用ユニット群を形成し、同様にして更に上段の漁礁形成用ユニット群を積み重ねて所定段数の略角錐体状の漁礁を形成することを特徴とする漁礁の形成方法を提供するものである。
【００１２】
請求項９に係る発明は、請求項１乃至７のいずれか一に記載の複数の漁礁形成用ユニットを互いに所定間隔離間させ略同心円状に並べて複数円から成る一段目の漁礁形成用ユニット群を形成し、該一段目の漁礁形成用ユニット群上に複数の漁礁形成用ユニットを互いに所定間隔離間させ略放射状に積み重ねて、漁礁ブロック体が該一段目の漁礁形成用ユニット群よりも外周円が小さい略同心円状の複数円状に並べられた二段目の漁礁形成用ユニット群を形成し、同様にして上段の漁礁形成用ユニット群を更に積み重ねて所定段数の略円錐体状の漁礁を形成することを特徴とする漁礁の形成方法を提供するものである。
【００１３】
請求項１０に係る発明は、請求項１乃至７のいずれか一に記載の複数の漁礁形成用ユニットを互いに所定間隔離間させ略放射状に並べて漁礁ブロック体が略同心円状の複数円状に並べられた一段目の漁礁形成用ユニット群を形成し、該一段目の漁礁形成用ユニット群上に複数の漁礁形成用ユニットを互いに所定間隔離間させ略同心状に積み重ねて、該一段目の漁礁形成用ユニット群よりも外周円が小さい複数円から成る二段目の漁礁形成用ユニット群を形成し、同様にして上段の漁礁形成用ユニット群を更に積み重ねて所定段数の略円錐体状の漁礁を形成することを特徴とする漁礁の形成方法を提供するものである。
【００１４】
請求項１１に係る発明は、請求項１乃至７のいずれか一に記載の複数の漁礁形成用ユニットを不規則的に積み重ねて所定高さの漁礁を形成することを特徴とする漁礁の形成方法を提供するものである。
【発明の効果】
【００１５】
本発明の請求項１記載の発明によれば、複数の漁礁ブロック体を互いに所定間隔離間させ連結手段によって数珠状に連結した漁礁形成用ユニットであって、前記漁礁ブロック体に貫通孔を開穿し、該貫通孔内に前記連結手段を貫通させ、固定手段によって該連結手段に該漁礁ブロック体を固定するように構成した漁礁形成用ユニットを提供するので、漁礁ブロック体は連結手段に確実に保持され、該漁礁形成用ユニットで形成した漁礁は、崩壊したり、飛散することなく長期間にわたり安定した漁礁を維持できる。
【００１６】
請求項２記載の発明によれば、上記連結手段は、ワイヤロープ又はチェーンであるので、請求項１記載の発明の効果に加え、該ワイヤロープ又はチェーンによって漁礁ブロック体を強固に連結することができる。
【００１７】
請求項３記載の発明によれば、上記固定手段は、座金とクリップとが一体に形成された固定金具であり、上記連結手段の上記漁礁ブロック体の貫通孔両端位置に該固定金具を設けることにより、該連結手段に該漁礁ブロック体を固定するように構成したので、請求項１又は２記載の発明の効果に加え、該固定金具によって、該漁礁ブロック体を該連結手段に確実且つ容易に固定することができる。
【００１８】
請求項４記載の発明によれば、上記固定手段は、上記貫通孔と上記連結手段の間に充填するモルタルであり、該モルタルによって該連結手段に上記漁礁ブロック体を固定するように構成したので、請求項１，２又は３記載の発明の効果に加え、該モルタルによって、前記連結手段に漁礁ブロック体を確実に固定することができる。
【００１９】
請求項５記載の発明によれば、複数の漁礁ブロック体を互いに所定間隔離間させ連結手段によって数珠状に連結した漁礁形成用ユニットであって、前記漁礁ブロック体に貫通孔を開穿し、該貫通孔内に前記連結手段よりも短く形成した補助連結手段を貫通させ、該補助連結手段の両端を該連結手段に連結し、該補助連結手段によって該漁礁ブロック体を保持させるように構成した漁礁形成用ユニットを提供するので、該補助連結手段によって、漁礁ブロック体を確実に保持することができる。
【００２０】
請求項６記載の発明によれば、上記補助連結手段の少なくとも一端にシャックルが設けられ、該シャックルによって該補助連結手段は上記連結手段に連結自在であるので、請求項５記載の発明の効果に加え、該シャックルによって前記補助連結手段の前記連結手段への連結が容易になると共に、該補助連結手段によって漁礁ブロック体の保持が容易になる。
【００２１】
請求項７記載の発明によれば、上記漁礁ブロック体は、自然石、コンクリートブロック、テトラポット、三柱ブロック、ビーハイブ、六脚ブロック，その他の消波ブロックのうちのいずれかであるので、請求項１，２，３，４，５又は６記載の発明の効果に加え、該漁礁ブロック体を容易に、且つ、安価に得ることができる。
【００２２】
請求項８記載の発明によれば、請求項１乃至７のいずれか一に記載の複数の漁礁形成用ユニットを略並列に並べて一段目の漁礁形成用ユニット群を形成し、該一段目の漁礁形成用ユニット群上に該一段目の漁礁形成用ユニットと略直交するように、且つ、該一段目の漁礁形成用ユニットよりも短く形成した複数の漁礁形成用ユニットを略並列に積み重ねて二段目の漁礁形成用ユニット群を形成し、同様にして更に上段の漁礁形成用ユニット群を積み重ねて所定段数の略角錐体状の漁礁を形成する漁礁の形成方法を提供するので、最適な構成及び空間を有し、長期的に安定した漁礁を容易に形成することができる。
【００２３】
請求項９記載の発明によれば、請求項１乃至７のいずれか一に記載の複数の漁礁形成用ユニットを互いに所定間隔離間させ略同心円状に並べて複数円から成る一段目の漁礁形成用ユニット群を形成し、該一段目の漁礁形成用ユニット群上に複数の漁礁形成用ユニットを互いに所定間隔離間させ略放射状に積み重ねて、漁礁ブロック体が該一段目の漁礁形成用ユニット群よりも外周円が小さい略同心円状の複数円状に並べられた二段目の漁礁形成用ユニット群を形成し、同様にして上段の漁礁形成用ユニット群を更に積み重ねて所定段数の略円錐体状の漁礁を形成する漁礁の形成方法を提供するので、最適な構成及び空間を有し、転倒又は、崩壊、飛散が防止され、長期的に安定した漁礁を容易に形成することができる。
【００２４】
請求項１０記載の発明によれば、請求項１乃至７のいずれか一に記載の複数の漁礁形成用ユニットを互いに所定間隔離間させ略放射状に並べて漁礁ブロック体が略同心円状の複数円状に並べられた一段目の漁礁形成用ユニット群を形成し、該一段目の漁礁形成用ユニット群上に複数の漁礁形成用ユニットを互いに所定間隔離間させ略同心状に積み重ねて、該一段目の漁礁形成用ユニット群よりも外周円が小さい複数円から成る二段目の漁礁形成用ユニット群を形成し、同様にして上段の漁礁形成用ユニット群を更に積み重ねて所定段数の略円錐体状の漁礁を形成する漁礁の形成方法を提供するので、最適な構成及び空間を有し、転倒又は、崩壊、飛散が防止され、長期的に安定した漁礁を容易に形成することができる。
【００２５】
請求項１１記載の発明によれば、請求項１乃至７のいずれか一に記載の複数の漁礁形成用ユニットを不規則的に積み重ねて所定高さの漁礁を形成する漁礁の形成方法を提供するので、好適な構成及び空間を有し、転倒又は、崩壊、飛散が防止され、長期的に安定した漁礁を容易に形成することができる。
【発明を実施するための最良の形態】
【００２６】
以下、実施例を示した図面を参照しつつ本発明の実施の形態を説明する。
図１に於いて、１は本発明の漁礁形成用ユニットであり、該漁礁形成用ユニット１は、コンクリートブロック等から成る複数の漁礁ブロック体２，２…を互いに所定間隔ｄ離間させて連結手段であるワイヤロープ３によって数珠状に連結したものである。
【００２７】
そして、図２に示す如く、漁礁ブロック体２には貫通孔４が開穿され、貫通孔４内にワイヤロープ３を貫通させ、貫通孔４両端の該ワイヤロープ３に座金５とワイヤクリップ６とが一体に形成された固定手段である２つの固定金具７，７を設け、２つの固定金具７，７によって漁礁ブロック体２をワイヤロープ３に固定するように構成されている。
【００２８】
図３は前記漁礁形成用ユニット１，１…を用いて形成した漁礁８を示し、該漁礁８は、海底に複数の漁礁形成用ユニット１，１…を略並列に並べて一段目の漁礁形成用ユニット群９を形成し、該一段目の漁礁形成用ユニット群９上に該一段目の漁礁形成用ユニット１と略直交するように、且つ、該一段目の漁礁形成用ユニット１よりも短く形成した複数の漁礁形成用ユニット１，１…を略並列に積み重ねて二段目の漁礁形成用ユニット群１０を形成し、同様にして更に上段の漁礁形成用ユニット群１１，１１…を積み重ねて所定段数の略角錐体状の漁礁を形成したものである。
【００２９】
図４は前記漁礁８の平面図であり、漁礁８を上方から見た時、漁礁ブロック体２，２…間に漁礁として最適な水平方向の空間ａ１，ａ２…が形成されている。
図５は前記漁礁８の正面図であり、漁礁８を前方から見た時、漁礁ブロック体２，２…間に漁礁として最適な垂直方向の空間ｂ１，ｂ２…が形成されている。
【００３０】
図６は前記漁礁８の設置状態を示す正面図であり、漁礁８は海底１２上に形成され、漁礁８の上端から海面１３の間に船、魚等の通行できる一定の空間ｃを確保している。
【００３１】
図７は前記漁礁形成用ユニット１，１…を用いて形成した他の漁礁１４を示し、該漁礁１４は、海底に複数の漁礁形成用ユニット１，１…を互いに所定間隔離間させ略同心円状に並べて複数円から成る一段目の漁礁形成用ユニット群１５を形成し、該一段目の漁礁形成用ユニット群１５上に複数の漁礁形成用ユニット１，１…を互いに所定間隔離間させ、略放射状に積み重ねて、漁礁ブロック体２，２…が一段目の漁礁形成用ユニット群１５よりも外周円の小さい略同心円状の複数円状に並べられた二段目の漁礁形成用ユニット群１６を形成し、同様にして更に上段の漁礁形成用ユニット群１７を積み重ねて所定段数の略円錐体状の漁礁を形成したものである。尚、この場合に於いて、漁礁形成用ユニット１の各漁礁ブロック体２，２間のワイヤロープ３の間隔は漁礁形成用ユニット１を設置する場所に対応させて適宜調節設定される。
【００３２】
この漁礁１４に於いても、漁礁として最適な水平方向の空間ｅ１，ｅ２…が確保され、又、漁礁として最適な垂直方向の空間ｆ１，ｆ２…が確保される。
尚、前記漁礁１４は海底に複数の漁礁形成用ユニット１，１…を互いに所定間隔離間させ略同心円状に並べて複数円から成る一段目の漁礁形成用ユニット群１５を形成したが、これに代えて、図示は省略するが、複数の漁礁形成用ユニット１，１…を互いに所定間隔離間させ略放射状に並べて、漁礁ブロック体２，２…が略同心円状の複数円状に並べられた一段目の漁礁形成用ユニット群を形成し、一段目の漁礁形成用ユニット群上に複数の漁礁形成用ユニットを互いに所定間隔離間させ略同心状に積み重ねて、一段目の漁礁形成用ユニット群よりも小さい外周円を有する複数円から成る二段目の漁礁形成用ユニット群を形成し、同様にして更に上段の漁礁形成用ユニット群を積み重ねて所定段数の略円錐体状の漁礁を形成することも可能であり、然る時も略同様の効果が期待できる。
【００３３】
更に、図示は省略するが、前記漁礁８及び１４に代えて複数の漁礁形成用ユニット１，１…を不規則的に積み重ねて所定高さの漁礁を形成することも可能であり、然る時も漁礁ブロック体２間に水平方向及び垂直方向に種々の空間が確保され、前記漁礁８及び１４と略同様の効果が期待できる。
【００３４】
斯くして、前記漁礁形成用ユニット１は、漁礁ブロック体２，２…をワイヤロープ３で連結しており、固定金具７，７によって漁礁ブロック体２をワイヤロープ３に固定しているので、漁礁ブロック体２，２間の間隔ｄを適宜設定することにより、最適な空間を有する漁礁８，１４を形成できると共に、漁礁ブロック体２，２…がワイヤロープ３によって互いに強固に連結され、且つ、確実に保持されることにより、例え、底引き漁船の底引き網に引っ掛かっても漁礁ブロック体２，２…が底引き網に引きずられて転倒することもなく、漁礁８，１４の崩壊、飛散を防止することができる。
【００３５】
又、前記漁礁８は、一段目の漁礁形成用ユニット１，１…と略直交するように、二段目の漁礁形成用ユニット１，１…を積み重ねるので、特に、左右及び前後方向への転倒又は、崩壊、飛散が防止され、長期的に安定した漁礁を維持できる。
【００３６】
更に、前記漁礁１４も、一段目の漁礁形成用ユニット１，１…と略直交するように、二段目の漁礁形成用ユニット１，１…を積み重ねるので、特に、径方向、又は、周方向への転倒又は、崩壊、飛散が防止され、長期的に安定した漁礁を維持できる。
【００３７】
尚、前記漁礁形成用ユニット１は、漁礁ブロック体２，２…をワイヤロープ３で連結したが、ワイヤロープ３に代えて、チェーンを用いても良く、然る時も同様な効果が期待できる。
【００３８】
図８は、前記固定金具（図２に於いて７）に代えて用いられる漁礁ブロック体２のワイヤロープ３への固定方法を示しており、漁礁ブロック体２に開穿した貫通孔１８にワイヤロープ３を貫通させ、貫通孔１８とワイヤロープ３の間に固定手段としての接着用のモルタル１９を充填してワイヤロープ３に漁礁ブロック体２を固定するものである。
【００３９】
然る時も前記固定金具（図２に於いて７）と略同様な効果が期待できる。
図９は、前述した漁礁ブロック体２のワイヤロープ（図２に於いて３）への固定方法に代えて用いられる他の保持方法を示しており、前記ワイヤロープに代えて連結手段としてチェーン２０が用いられ、チェーン２０には、チェーン２０よりも短く形成した補助連結手段としての補助チェーン２１が、補助チェーン２１の両端に設けられたシャックル２２，２２を介して連結される。そして、漁礁ブロック体２に開穿した貫通孔１８に、一方のシャックル２２を補助チェーン２１と共に貫通させ、補助チェーン２１の両端のシャックル２２，２２をチェーン２０に連結して漁礁ブロック体２を補助チェーン２１によって保持させるものである。
【００４０】
尚、該補助チェーン２１には両端にシャックル２２，２２が設けられているが、この構成に代えて、補助チェーン２１の一端にシャックル２２を設け、他端にコモンリンク（図示せず）を設けても良い。
【００４１】
然る時も前記固定金具（図２に於いて７）を用いて保持した場合と略同様な効果が期待できると共に、前記シャックル２２によって連結が容易になり、漁礁ブロック体２を容易に保持できる。
【００４２】
図１０は、前述の説明に於いて、前記漁礁ブロック体２にコンクリートブロックを用いたが、コンクリートブロックに代えて用いることができる種々の漁礁ブロック体を示し、図に於いて２３〜２６は夫々テトラポット、三柱ブロック、ビーハイブ、六脚ブロックである。更に、その他の消波ブロック等を用いても良く、これらは、何れも、新しいもの、古いもの、廃棄予定のもの、壊れたものを用いても良い。そして、当然ながら、漁礁ブロック体として自然石を用いることも可能である。特に、自然石は形、大きさが違うため海中でも自然に近い環境を形成できると共に、周りの自然環境（海）に負荷を与えないという利点がある。
【００４３】
そして、これらの漁礁ブロック体を複数種類用いて前述の漁礁形成用ユニットを形成しても良く、或いは、一種類の漁礁ブロック体を複数用いて前述の漁礁形成用ユニットを形成しても良い。
【００４４】
そして、然る時も、前述と略同様な効果が期待できると共に、漁礁ブロック体を種々選択できるため、漁礁ブロック体を容易に、且つ、安価に得ることができる。
【００４５】
又、前述したように複数の漁礁形成用ユニット１，１…を不規則的に所定の高さに積み重ねて漁礁を形成しても良く、然る時も漁礁としての好適な空間は確保され、自然環境に近い好適な漁礁が形成される。
【００４６】
そして、その場合に於いて、特に、漁礁ブロック体として自然石を用いた場合は、更に、自然環境に近い好適な漁礁が形成される。
【図面の簡単な説明】
【００４７】
【図１】本発明による漁礁形成用ユニットの一部斜視図である。
【図２】図１に示す漁礁ブロック体の固定方法を示す一部切欠斜視図である。
【図３】本発明による漁礁の斜視図である。
【図４】本発明による漁礁の平面図である。
【図５】本発明による漁礁の正面図である。
【図６】本発明による漁礁の設置状態を示す正面図である。
【図７】本発明による他の漁礁の斜視図である。
【図８】本発明による他の漁礁ブロック体の固定方法を示す一部切欠平面図である。
【図９】本発明による漁礁ブロック体の保持方法を示す一部切欠平面図である。
【図１０】本発明による他の漁礁ブロック体を示す斜視図である。
【符号の説明】
【００４８】
１  漁礁形成用ユニット
２  漁礁ブロック体
３  ワイヤロープ
４，１８  貫通孔
５  座金
６  ワイヤクリップ
７  固定金具
８，１４  漁礁
９，１０，１１，１５，１６，１７  漁礁形成用ユニット群
１９  モルタル
２０  チェーン
２２  シャックル
２３  テトラポット
２４  三柱ブロック
２５  ビーハイブ
２６  六脚ブロック
ｄ  所定間隔
【図１】
2006067971.tif 000003
【図２】
2006067971.tif 000004
【図３】
2006067971.tif 000005
【図４】
2006067971.tif 000006
【図５】
2006067971.tif 000007
【図６】
2006067971.tif 000008
【図７】
2006067971.tif 000009
【図８】
2006067971.tif 000010
【図９】
2006067971.tif 000011
【図１０】
2006067971.tif 000012